(57)【特許請求の範囲】
【請求項１】
レンズを有する可動鏡筒と、前記可動鏡筒を前記レンズの光軸方向に移動させる駆動機構と、前記可動鏡筒と前記駆動機構とを収納する固定ホルダと、前記固定ホルダを連結するための単一の弾性部材と、を備え、
前記弾性部材は、前記可動鏡筒を移動可能に保持する四角形状の枠体と、
前記四角形状の枠体と同一平面内の内側に位置し、前記可動鏡筒の下端部を保持するための保持枠体と、
前記四角形状の枠体角部と前記保持枠体とを、半径方向に直線的に連結すると共に、前記保持枠体側に蛇行形状部を有する連結体と、
を備えるレンズ駆動装置。
【請求項２】
レンズを有する可動鏡筒と、
前記可動鏡筒に取り付けられたコイルと、
前記コイルが挿入されるように配置されたヨークと、
前記ヨークに取り付けられて、前記ヨークとともに磁気回路を構成するマグネットと、
前記可動鏡筒を収納する固定ホルダと、前記固定ホルダを連結するための単一の弾性部材と、を備え、
前記弾性部材は、前記可動鏡筒を移動可能に保持する四角形状の枠体と、
前記四角形状の枠体と同一平面内の内側に位置し、前記可動鏡筒の下端部を保持するための保持枠体と、
前記四角形状の枠体角部と前記保持枠体とを、半径方向に直線的に連結すると共に、前記保持枠体側に蛇行形状部を有する連結体と、
を備えるレンズ駆動装置。    
【請求項３】
前記ヨークの上部と前記固定ホルダの上部とが略同じ高さであって、前記可動鏡筒の上部が、前記固定ホルダの上部から突出していることを特徴とする請求項１に記載のレンズ駆動装置。
【請求項４】
前記可動鏡筒の移動を補助するための補助部材を有していることを特徴とする請求項２に記載のレンズ駆動装置。
【請求項５】
前記弾性部材を、前記可動鏡筒の重心位置近傍に配置していること
を特徴とする請求項１または２に記載のレンズ駆動装置。
【請求項６】
レンズ駆動装置と、このレンズ駆動装置によって得られた画像を表示する表示手段と、を備え、
前記レンズ駆動装置は、
レンズを有する可動鏡筒と、
前記可動鏡筒を前記レンズの光軸方向に移動させる駆動機構と、
前記可動鏡筒と前記駆動機構とを収納する固定ホルダと、前記固定ホルダを連結するための単一の弾性部材と、を備え、
前記弾性部材は、前記可動鏡筒を移動可能に保持する四角形状の枠体と、
前記四角形状の枠体と同一平面内の内側に位置し、前記可動鏡筒の下端部を保持するための保持枠体と、
前記四角形状の枠体角部と前記保持枠体とを、半径方向に直線的に連結すると共に、前記保持枠体側に蛇行形状部を有する連結体と、
を備えるカメラ付き携帯電話。
【発明の詳細な説明】
【技術分野】
【０００１】
本発明は、レンズ駆動装置に係り、特に、レンズをレンズの光軸方向に移動可能なレンズ駆動装置及びこのレンズ駆動装置を用いたカメラ付き携帯電話に関する。
【背景技術】
【０００２】
例えば、レンズ駆動装置を用いたカメラ付き携帯機器として、カメラ付き携帯電話が知られている。一般に、このようなカメラ付き携帯電話においては、片手で携帯電話を持って被写体を撮影するといったような、不安定な姿勢でカメラ機能が使用される場合が多い。
【０００３】
そこで、不安定な姿勢でカメラ機能が用いられた場合の対策として、レンズ駆動装置に用いられているレンズを内蔵した可動鏡筒を、２枚の弾性部材を用いて挟み込み、光軸方向における可動鏡筒の移動を安定させるという技術が知られている（特許文献１参照）。
【０００４】
【特許文献１】特開２００４−３３３９９５号
【発明の開示】
【発明が解決しようとする課題】
【０００５】
近年、カメラ付きの携帯電話においては、持ち運びの利便性等から小型化、薄型化が要求されており、カメラ付きの携帯電話に用いられるレンズ駆動装置に対しても、当然に小型化、薄型化が要求されている。
【０００６】
しかし、特許文献１に開示されているレンズ駆動装置は、２枚の弾性部材で可動鏡筒を挟み込む構成を採用しているため、２枚の弾性部材を配置するためのスペースをレンズ駆動装置内に確保する必要があり、その結果、レンズ駆動装置が大型になり、そのレンズ駆動装置を用いたカメラ付き携帯電話が、厚く、大型になるという問題がある。
【０００７】
また、２枚の弾性部材をレンズ駆動装置の所定の位置に正確に組み込む必要があるため、弾性部材のレンズ駆動装置への組み付け位置がずれると、それぞれの弾性部材の反力中心位置がずれてねじれが生じてしまい、可動鏡筒の移動方向が歪んでしまう。その結果、可動鏡筒内のレンズが、レンズの光軸方向に対して傾いた方向に移動してしまうという問題もある。
【０００８】
本発明は、上述の点を考慮し、小型、薄型であって、可動鏡筒の移動が安定したレンズ駆動装置及びカメラ付き携帯電話を提供するものである。
【課題を解決するための手段】
【０００９】
本発明に係るレンズ駆動装置は、レンズを有する可動鏡筒と、前記可動鏡筒を前記レンズの光軸方向に移動させる駆動機構と、前記可動鏡筒と前記駆動機構とを収納する固定ホルダと、を備えたレンズ駆動装置であって、前記可動鏡筒を移動可能に保持する単一の弾性部材を有する構成とする。
【００１０】
また、本発明に係るレンズ駆動装置は、レンズを有する可動鏡筒と、可動鏡筒に取り付けられたコイルと、コイルが挿入されるように配置されたヨークと、ヨークに取り付けられて、ヨークとともに磁気回路を構成するマグネットと、可動鏡筒を収納する固定ホルダと、固定ホルダを連結するための単一の弾性部材と、を備える。
さらに、弾性部材は、可動鏡筒を移動可能に保持する四角形状の枠体と、四角形状の枠体と同一平面内の内側に位置し、可動鏡筒の下端部を保持するための保持枠体と、四角形状の枠体角部と保持枠体とを、半径方向に直線的に連結すると共に、保持枠体側に蛇行形状部を有する連結体と、を備える。
【００１１】
好ましくは、本発明に係るレンズ駆動装置の前記ヨークの上部と前記固定ホルダの上部とが略同じ高さであって、前記可動鏡筒の上部が、前記固定ホルダの上部から突出している構成とする。
【００１３】
さらに好ましくは、本発明に係るレンズ駆動装置の前記弾性部材を、前記可動鏡筒の重心位置近傍に配置した構成とする。
【００１４】
本発明のレンズ駆動装置では、レンズ駆動装置の高さを低くし、薄型にするので、レンズ駆動装置を小型にすることができる。
【００１５】
本発明に係るカメラ付き携帯電話は、レンズ駆動装置と、このレンズ駆動装置によって得られた画像を表示する表示手段とを有するカメラ付き携帯電話であって、前記レンズ駆動装置は、レンズを有する可動鏡筒と、前記可動鏡筒を前記レンズの光軸方向に移動させる駆動機構と、前記可動鏡筒と前記駆動機構とを収納する固定ホルダと、を備えたレンズ駆動装置であって、前記可動鏡筒を移動可能に保持する単一の弾性部材を有する構成とする。
【００１６】
本発明のカメラ付き携帯電話では、レンズ駆動装置の高さを低くしたので、そのレンズ駆動装置を用いたカメラ付き携帯電話を小型にすることができる。
【発明の効果】
【００１７】
本発明に係るレンズ駆動装置によれば、小型、薄型のレンズ駆動装置とすることができる。
【００１８】
本発明に係るカメラ付き携帯電話によれば、小型、薄型のカメラ付き携帯電話とすることができる。
【発明を実施するための最良の形態】
【００１９】
以下、本発明に係るレンズ駆動装置及びカメラ付き携帯電話を実施するための最良の形態の例について、図面を参照して説明するが、本発明は以下の例に限定されるものではない。なお、本実施の形態は、携帯電話のカメラ部分として搭載するのに適した構成となっているが、ＰＤＡ（Personal Degital Assistance)等他の携帯機器に搭載するようにしてもよい。
【００２０】
図１は、本発明の実施の形態例に係るレンズ駆動装置の分解斜視図である。
図１に示すように、本例に係るレンズ駆動装置１は、可動鏡筒１０と、駆動コイル１４と、ヨーク１５と、駆動マグネット１８と、弾性部材１９と、固定ホルダ２０とから構成されている。
【００２１】
可動鏡筒１０は、内部に複数枚のレンズを有しており、レンズホルダ２６が設けられている。レンズホルダ２６は、レンズを保持する円筒部２６ａと、駆動コイル１４を取り付け固定するための鍔部２６ｂとから構成されている。
【００２２】
駆動コイル１４は、単線を複数回層状に巻いた空芯を有する円筒状のコイルであって、空芯に可動鏡筒１０の円筒部２６ａが挿入された状態で、鍔部２６ｂに接着固定される。
【００２３】
ヨーク１５は、内径と外径とを有する断面Ｕ字型のリング形状で構成されており、下向きの開口部を有している。ヨーク１５の中心には、可動鏡筒１０の円筒部２６ａが挿入され、ヨーク１５の内側には、可動鏡筒１０に取り付けられた駆動コイル１４が挿入される。
【００２４】
駆動マグネット１８は、リング形状を有しており、ヨーク１５の外周壁面の内側に沿って固定配置されている。
【００２５】
弾性部材１９は、１枚の平面状の弾性板で構成されている。弾性板は、固定ホルダ２０と連結するための四角形の枠で形成された固定部１９ａと、可動鏡筒１０の下端部と連結するためのリング状の枠で形成された固定部１９ｂと、可動鏡筒１０を移動可能にする弾力を有する弾性部１９ｃとによって構成されている。弾性部１９ｃは、いわゆる蛇行形状部を有しており、固定部１９ａと固定部１９ｂとを接続するように構成されている。
【００２６】
固定ホルダ２０は、略正方形状の底部と、底部に沿った周壁部とからなり、上方に開口を有している。固定ホルダ２０は、その内部に可動鏡筒１０、ヨーク１５、弾性部材１９を収納する。
【００２７】
図２は、本発明の実施の形態例に係るレンズ駆動装置の固定ホルダに破断線を入れた場合の斜視図である。
図２に示すように、固定ホルダ２０には、可動鏡筒１０、ヨーク１５、弾性部材１９が収納されている。
【００２８】
可動鏡筒１０の下部は、４本の弾性部１９ｃを有する単一の弾性部材１９によって支持されている。ここで、単一とは、固定ホルダ２０内に設けられている弾性部材１９が１枚のみであることを意味する。弾性部材１９の固定部１９ｂは、接着剤等によって固定ホルダ２０の内壁に沿って固定されている。また、可動鏡筒１０は、可動鏡筒１０の円筒部２６ａの上部がヨーク１５の上部から突出するように支持されている。
【００２９】
ヨーク１５は、中心に可動鏡筒１０の円筒部２６ａが挿入され、内側に可動鏡筒１０の鍔部２６ｂに固定された駆動コイル１４が挿入された状態で、固定ホルダ２０の内周面の一部に接着固定されている。また、ヨーク１５の内側には、駆動コイル１４と対向するように駆動マグネット１８が固定されている。
【００３０】
図３は、本発明の実施の形態例に係るレンズ駆動装置の断面図である。
図３に示すように、レンズ駆動装置１は、主に、可動鏡筒１０と、図中に矢印で示されたレンズ１２の光軸方向Ｆに沿って、可動鏡筒１０を移動させる駆動機構（駆動コイル１４と駆動マグネット１８）と、これらを収納するケースとしての役割を有している固定ホルダ２０とから構成されている。
【００３１】
可動鏡筒１０の内部には、レンズ１２と、スペーサとしての中間部材２８が配置されている。
【００３２】
レンズ１２は、カメラの撮影レンズで、複数枚のレンズ部材が組み合わせられることによって構成されている。図２の上側（レンズ駆動装置１の前側）が被写体側レンズ部材１２ａで、下側（レンズ駆動装置１の後側）がカメラボディ側レンズ部材１２ｂである。なお、本例のレンズ駆動装置１では、可動鏡筒１０が、レンズ１２と樹脂製のレンズホルダ２６と中間部材２８という複数の部材から構成されているが、これらのうち複数の部材または全ての部材が同一部材で一体に構成されていても良い。
【００３３】
被写体側レンズ部材１２ａは、中央にレンズ機能を持つ円形のレンズ部を有し、外周にレンズ部を保持して支えるためのホルダ部（図示せず）を有している。ホルダ部は、中間部材２８に当接している。カメラボディ側レンズ部材１２ｂは、中央にレンズ機能を持つレンズ部を有し、外周にレンズ部を保持して支えるためのホルダ部（図示せず）を有している。カメラボディ側レンズ部材１２ｂのホルダ部も中間部材２８に当接している。
【００３４】
被写体側レンズ部材１２ａおよびカメラボディ側レンズ部材１２ｂのレンズ部は、樹脂製の非球面レンズとされており、ホルダ部とレンズ部は樹脂の一体成型によって形成されている。レンズホルダ２６は、円筒部２６ａと鍔部２６ｂとで構成されている。また、中間部材２８が存在することによって、レンズ１２の取り付け作業や位置決め作業を簡易にしている。
【００３５】
レンズホルダ２６の円筒部２６ａは、有底筒形状をしており、レンズ１２がその円筒部内２６ａに嵌め込まれている。また、レンズホルダ２６の円筒部２６ａの前面には、被写体からの反射光をレンズ１２に取り込む円形の入射窓３６が形成されている。
【００３６】
レンズホルダ２６の鍔部２６ｂは、円筒部２６ａの下方側に形成されており、円筒部２６ａの外周に沿った円盤状の形状を有している。鍔部２６ｂには、駆動コイル１４が載置され、固定されている。
【００３７】
中間部材２８は、中央に孔３４を有する円板状部材とされている。この中間部材２８によって被写体側レンズ部材１２ａとカメラボディ側レンズ部材１２ｂの間隔を一定に保持している。
【００３８】
可動鏡筒１０をレンズ１２の光軸方向Ｆに移動させる駆動機構は、光軸Ｆを囲むように巻回されている駆動コイル１４と、この駆動コイル１４との間で電磁吸引力または電磁反発力を発生する電磁部材である駆動マグネット１８とで構成されている。
【００３９】
駆動コイル１４は、レンズホルダ２６の鍔部２６ｂに載置するように固定されており、駆動コイル１４の上部が、ヨーク１５の内側に挿入するように配置されている。
【００４０】
駆動マグネット１８は、リング形状を有しており、ヨーク１５の外周面の内側に沿って固定され、可動鏡筒１０の円筒部２６ａの周囲に位置するように保持されている。
すなわち、駆動マグネット１８は、ヨーク１５の内側で、駆動コイル１４と対向するように配置されており、レンズ駆動機構内の磁気回路が構成される。
【００４１】
可動鏡筒１０の下方には、可動鏡筒１０を移動可能に保持する単一の弾性部材１９が配置されている。弾性部材１９は、固定ホルダ２０と可動鏡筒１０とを連接するように、固定ホルダ２０の内側面とレンズホルダ２６の円筒部２６ａの後側端部に取り付けられている。本例の弾性部材１９は、固定ホルダ２０内の一平面内に配置されているが、ここで一平面内とは、固定ホルダ２０内において高さが同一の面をいう。
【００４２】
なお、本例では、弾性部材１９を、駆動コイル１４と駆動マグネット１８とによって構成される磁気回路の下方に配置するようにしているが、弾性部材１９を磁気回路の上方に配置する構成としてもよい。
【００４３】
また、本例のレンズ駆動装置１においては、図３に示すように、固定ホルダ２０の上部に形成される端面と、ヨーク１５の上部に形成される端面とで、略同一の高さとなる面が構成されている。また、可動鏡筒１０の上部の端面が、ヨーク１５と固定ホルダ２０の上部の端面とで形成される面から突出した状態で、弾性部材１９に保持されている。即ち、ヨーク１５と固定ホルダ２０とで形成された面の上方には、破線で示すような空間Ｓが形成されている。
【００４４】
なお、レンズ駆動装置１の光軸Ｆに沿った後側には、フィルタや撮像素子等を有する図示しない撮像素子ユニットが配置されている。
【００４５】
本例のレンズ駆動装置１によれば、可動鏡筒１０を単一の弾性部材１９で保持しているので、複数の弾性部材を用いる必要がなく、レンズ駆動装置１を小型、薄型にすることができる。また、ヨーク１５と固定ホルダ２０の上方に空間スペースＳを形成することができるので、そのスペースの分だけレンズ駆動装置１を小型、薄型にすることができる。
【００４６】
また、本例のレンズ駆動装置によれば、可動鏡筒１０を単一の弾性部材で保持しているので、複数の弾性部材を用いた場合に生じる可動鏡筒１０の移動方向の歪みを防止し、可動鏡筒の移動動作を安定させることができる。さらに、可動鏡筒１０を単一の弾性部材で保持するので、複数の弾性部材を用いる必要がなく、コストを抑えることができる。
【００４７】
なお、弾性部材１９の弾性部１９ｃの厚みを増すことで、弾性部材のばね定数を上げることにより、可動鏡筒１０の共振周波数をそれほど変化させることなく、可動鏡筒１０の移動の動作を安定させることができる。
【００４８】
図４は、本発明の他の実施の形態例に係るレンズ駆動装置の断面図である。図４において、図３と対応する部分には同一の符号を付して説明を省略する。
図４に示すように、固定ホルダ２０の底部には、光軸方向に突出したガイドシャフト２１が形成されている。また、レンズホルダ２６の鍔部２６ｂの一部に、ガイドシャフト２１が設けられている方向に延長される部位が形成されている。
【００４９】
鍔部２６ｂの延長された部位には、ガイドシャフト２１を挿入するための孔が形成されている。形成された孔の大きさは、可動鏡筒１０がガイドシャフト２１に沿って自由に動くことができる程度の大きさに形成されている。
【００５０】
本例のレンズ駆動装置１によれば、可動鏡筒１０の移動を補助するガイドシャフト２１を設けたので、不安定な姿勢でカメラ機能が使用された場合であっても、ガイドシャフト２１が可動鏡筒１０の姿勢を一定の状態に保持することができるので、可動鏡筒１０が光軸方向から傾くことを防止することができる。その結果、不安定な姿勢でカメラ機能が使用された場合であっても、可動鏡筒１０が光軸方向から傾くことがないので、解像度の劣化等の光学的性能の悪化を防止することができる。
【００５１】
図５は、本発明の別の実施の形態例に係るレンズ駆動装置の固定ホルダに破断線を入れた場合の斜視図である。なお、図５において、図２と対応する部分には同一の符号を付して説明を省略する。
【００５２】
図５に示すように、ヨーク１５の外周壁の一部には、弾性部１９ｃを含んだ弾性部材１９の腕部に対応して複数の切欠き１５ａが形成されている。本例の弾性部材１０は、固定ホルダ２０が有している隅部の数に応じて４本の腕部を有しているため、ヨーク１５に形成される切欠き１５ａは４箇所に形成される。なお、ヨーク１５の内周壁側にも、複数の切欠きが、外周壁側に設けられた切欠き１５ａに対向する位置に形成されている。
【００５３】
マグネット１８は、切欠き１５ａが設けられている部分を除いたヨーク１５の外周壁の内側に沿って設けられている。
【００５４】
弾性部材１９は、固定部１９ａが固定ホルダ２０の内周面に固定され、弾性部１９ｃを含んだ腕部がヨーク１５の内側で二分割で形成されたコイル１４に挟みこまれ、固定部１９ｂが、可動鏡筒１０に円筒部２６ａの外周に沿って固定されている。
【００５５】
図６は、本発明の別の実施の形態例に係るレンズ駆動装置の断面図である。なお、図６において、図３と対応する部分には同一の符号を付して説明を省略する。
【００５６】
図６に示すように、本例の弾性部材１９は、可動鏡筒１０の重心ｇ位置付近に配置されている。即ち、可動鏡筒１０の重心ｇが位置する点を含んだ平面に沿って弾性部材１９が設けられている。言い換えれば、固定ホルダ２０内において、可動鏡筒１０の重心ｇが位置する高さと弾性部材１９が位置する高さとが同じ高さになるように、弾性部材１９が固定ホルダ２０に取り付けられている。
【００５７】
駆動コイル１４は、上下方向に二分割されて形成されているが、分割された下方向のコイルの高さは、レンズホルダの鍔部２６ｂに取り付けられた際に、可動鏡筒１０の重心ｇを含む平面の高さと一致するように形成されている。また、ヨーク１５には、可動鏡筒１０の重心ｇを含む平面の高さに対応する位置に切欠きが設けられている。
【００５８】
単一の弾性部材１９は、固定ホルダ２０内の同一平面内に配置されている。弾性部材１９の固定部１９ａは、固定ホルダ２０に取り付けられて、弾性部１９ｃを含む腕部は、ヨーク１５及び駆動マグネット１８に設けられた切欠き部を貫通し、分割された駆動コイル１４の間を通り、固定部１９ｂは、可動鏡筒１０の円筒部２６ａに接続されている。すなわち、本例のレンズ駆動装置１は、磁気回路の一部を分割して、弾性部材１９を貫通させる構成を有している。また、可動鏡筒１０は、弾性部材１９によって、重心ｇ位置で固定ホルダ２０に吊られている。
【００５９】
本例のレンズ駆動装置１によれば、単一の弾性部材１９を可動鏡筒１０の重心付近ｇに配置しているので、可動鏡筒１０を、可動鏡筒１０の重心位置ｇで固定ホルダ２０に吊り下げることができる。従って、不安定な姿勢でカメラ機能が使用された場合であっても、弾性部材が可動鏡筒１０の重心ｇを保持しているので、可動鏡筒が光軸に対して傾くことを防止することができる。その結果、不安定な姿勢でカメラ機能が使用された場合であっても、可動鏡筒１０が光軸方向から傾くことがないので、解像度の劣化等の光学的性能の悪化を防止することができる。
【００６０】
図７は、本発明に係るレンズ駆動装置を取り付けた際のカメラ付き携帯電話の斜視図である。
図７に示すように、カメラ付き携帯電話１００は、操作ボタンが配列された本体部１０１と、カメラによって撮影した画像を表示する部分が裏面に形成されたカバー部１０２とからなる。カバー部１０２を本体部１０１に合致するようにスライド若しくは折り畳むことで、持ち運びに都合のよいコンパクトなサイズにすることができる。カメラ機能を使用して撮影を行う場合には、図８に示したように、本体部１０１とカバー部１０２をずらした状態で使用する。
【００６１】
カメラ付き携帯電話１００のカバー部１０２の背面部には、レンズ駆動装置１を埋設するための穴が形成されている。レンズ駆動装置１を、レンズホルダ２６に形成された入射窓３６が外側を向くようにして、その穴に取り付ける。
【００６２】
本例のカメラ付き携帯電話１００によれば、薄型のレンズ駆動装置１を用いているので、カバー部１０２の厚さを薄くすることができる。その結果、本体部１０１とカバー部１０２とを合致させた場合に、カメラ付き携帯電話の全体の厚さを薄くすることができので、カメラ付き携帯電話１００を小型、薄型にすることができる。また、レンズ駆動装置１のヨーク１５及び固定ホルダ２０の上部に形成された空間スペースＳに、携帯電話１００の部品を配置することができるので、カメラ付き携帯電話１００の薄型化、小型化を図ることができる。
【００６３】
次に、図８を参照しながら、このレンズ駆動装置１を含むカメラ付き携帯電話１００のカメラ１２０のシステム構成を説明する。
【００６４】
このカメラ１２０は、レンズ１２を有する可動鏡筒１０を駆動して切り換え動作を実現するドライバ１２２と、撮像素子１０４から得られる画像信号を処理するＩＳＰ（Image Signal Processor）１２４と、画像データを保存するストレージデバイス１２６と、コントロールロジック部１２８と、電子処理をするための画像を一時保管する単数または複数のメモリ１３０と、光学画像や電子処理された電子画像を表示する表示手段１３２と、これらの各部材をコントロールするシステムコントローラとしてのＭＰＵ（Micro Processing Unit）１３４を有している。
【００６５】
ここで、カメラ１２０は、レンズ１２を有する可動鏡筒１０等からなるレンズ駆動装置１のメカ部分と、撮像素子１０４と、ドライバ１２２と、ＩＳＰ１２４とから構成される。撮像素子１０４とドライバ１２２とＩＳＰ１２４とは、回路基板１０６に設置される。制御部は、コントロールロジック部１２８とＭＰＵ１３４とで構成される。また、画像取得手段が、撮像素子１０４とＩＳＰ１２４と制御部とで構成される。ＭＰＵ１３４は、切り換え指令を読み取る切り換え指令読取手段となり、レンズ１２の操作位置を確認する操作位置確認手段となり、また、レンズ１２の位置を検出する現在位置検出手段ともなる。
【００６６】
図３に示す状態において、図示されない所定の切り換えスイッチが操作されると、弾性部材１９を介して、駆動コイル１４に電流が流れる。すると、電流の向きと駆動マグネット１８による磁界の向きとによって、フレミングの左手の法則により駆動マグネット１８に力が作用する。本例では、駆動マグネット１８が、ヨーク１５に固定されており、ヨーク１５は固定ホルダ２０に固定されているため、反作用として駆動コイル１４に力が働くこととなる。これによって、可動鏡筒１０は、弾性部材１９の弾性力によって光軸方向Ｆに移動する。なお、フレミングの左手の法則は、磁界中に線電流が流れているときに、その線電流を流している物体に働く力の関係を示すものである。
【００６７】
また、上述の実施の形態例では、駆動マグネット１８と駆動コイル１４とで駆動機構を構成したが、駆動コイルの位置に駆動マグネットを配置し、駆動マグネットの位置に駆動コイルを配置する構成とし、いわゆるムービングマグネット駆動としても良い。
【００６８】
また、本実施の形態では、レンズ駆動装置１をカメラ付き携帯電話１００のカメラ部分の機能として組み込んだ例を示したが、このレンズ駆動装置１は、モバイルコンピュータ、ＰＤＡ等の他の携帯機器に使用したり、監視カメラ、医療用カメラ等他のカメラ装置や、自動車、テレビ等の電子機器にも組み込むことができる。
【図面の簡単な説明】
【００６９】
【図１】図１は、本発明の実施の形態例に係るレンズ駆動装置の分解斜視図である。
【図２】図２は、本発明の実施の形態例に係るレンズ駆動装置の固定ホルダに破断線を入れた場合の斜視図である。
【図３】図３は、本発明の実施の形態例に係るレンズ駆動装置の断面図である。
【図４】図４は、本発明の他の実施の形態例に係るレンズ駆動装置の断面図である。
【図５】図５は、本発明の別の実施の形態例に係るレンズ駆動装置の固定ホルダに破断線を入れた場合の斜視図である。
【図６】図６は、本発明の別の実施の形態例に係るレンズ駆動装置の断面図である。
【図７】図７は、本発明に係るレンズ駆動装置を取り付けた際のカメラ付き携帯電話の斜視図である。
【図８】図８は、本発明の実施の形態に係るレンズ駆動装置を含むカメラのシステム構成を示す模式図である。
【符号の説明】
【００７０】
１・・レンズ駆動装置、１０・・可動鏡筒、１２・・ レンズ、１４・・１駆動コイル、１５・・ヨーク、１８・・ 駆動マグネット、１９・・弾性部材、２０・・ 固定ホルダ、２１・・ガイドシャフト、２６・・レンズホルダ、２８・・中間部材、３４・・孔、３６・・入射窓、１００・・カメラ付き携帯電話、Ｆ・・光軸方向、ｇ・・可動鏡筒重心、Ｓ・・スペース
【図１】
0004765457.tif 000002
【図２】
0004765457.tif 000003
【図３】
0004765457.tif 000004
【図４】
0004765457.tif 000005
【図５】
0004765457.tif 000006
【図６】
0004765457.tif 000007
【図７】
0004765457.tif 000008
【図８】
0004765457.tif 000009